(57)【特許請求の範囲】
【請求項１】
建物内の各排水設備と接続されている複数の排水枝管から流れ込む排水を合流させて、屋外に埋設されている排水管に排水させるための排水用ヘッダーであって、
両端部に接続部を有する筒状のヘッダー本体と、このヘッダー本体の側壁から突設された複数の枝管接続部とからなり、前記ヘッダー本体が、一端部に流入側の受口部を有し、他端部に流出側の差口部を有する断面形状が卵形状とされた筒状の継手本体と、この継手本体の両側壁から両側方へ相対向して突設された２個の枝管接続部および上側壁から上方へ突設された１個の掃除口とを備えた管継手の複数個が各継手本体の中心軸方向に接続されてなるものであり、継手本体の流入側の受口部の下部に、継手本体の中心軸および継手本体の断面形状の長軸に直交するように、設置用の脚部が設けられ、かつ、ヘッダー本体の下部内面の曲率半径が上部内面の曲率半径よりも小さくされていることを特徴とする排水用ヘッダー。
【請求項２】
枝管接続部の断面形状が円形状とされ、その中心軸がヘッダー本体の上部内面の曲率半径の中心軸よりも上方に位置している請求項１に記載の排水用ヘッダー。
【請求項３】
ヘッダー本体の一端部に、一端部に断面形状が卵形状の接続部を有し、他端部に断面形状が円形状の接続部を有する管継手の卵形状の接続部が接続されている請求項１または２に記載の排水用ヘッダー。
【発明の詳細な説明】
【０００１】
【発明の属する技術分野】
本発明は、住宅用排水システムにおいて用いられる排水用ヘッダーに関する。
【０００２】
【従来の技術】
一般に、戸建住宅においては、図１８に示すように、建物２内に設置されたトイレ、洗面所、洗濯機、浴室、台所などに設けられた各排水設備２１，２２，２３，２４，２５にて発生した排水は、各排水設備２１〜２５にそれぞれ接続された排水枝管５を経て建物２の外側に埋設された各排水桝６に流れ込んだ後、排水桝６，６間を接続している宅地１内の排水主管３を通じて公共桝７に流れ込み、この公共桝７を経て公道下に埋設された下水本管（図示せず）へ排水されるようになっている。
【０００３】
この場合、各排水枝管５は建物の床下の防湿コンクリート４１に埋設され、また、宅地１内の排水主管３は建物２の外周基礎４の外側に埋設されている。排水主管３の曲がり部や合流部に各種タイプの排水桝６が設置されている。
【０００４】
ところで、上記図１８の排水システムの場合、各排水枝管５が防湿コンクリート４１に埋設されているので、各排水枝管５内の点検や清掃が困難であり、また、排水枝管５が破損した場合、その補修や取替え作業が極めて困難であった。
【０００５】
また、各排水枝管５がそれぞれ各排水桝６と接続されているので、排水枝管５の本数、つまり、建物内に設置されている排水設備の数に対応した貫通孔を外周基礎４の所定位置に設けなければならず、この貫通孔を設ける作業がたいへんである。しかも、多くの排水桝６を必要とし、材料費や施工費も高くなる。
【０００６】
このような問題点を解消するために、従来の埋設配管に代えて、各排水枝管を建物の床下に露出配管する工法が提案されている（例えば、特許文献１参照。）。また、住戸内のコンクリートスラブと床の間に、複数個のＹ字状の合流排水管継ぎ手を回動自在に連結した排水ヘッダーを配設し、この排水ヘッダーの各分岐管部に各排水横枝管を接続したマンションなどの集合住宅における建物内排水管システムが開示されている（例えば、特許文献２参照。）。
【０００７】
【特許文献１】
特開２００１−１１９２７号公報（第１頁〜第６頁）
【特許文献２】
特開２００１−３０３６３７号公報（第１頁〜第９頁）
【０００８】
【発明が解決しようとする課題】
しかしながら、上記特許文献２にて開示されている排水ヘッダーの場合、分岐管部の中心軸の高さ位置が管状部の中心軸の高さ位置と同一であるため、分岐管部を通じて排水横枝管から排水ヘッダー内に流れ込んだ排水が、下流側に位置している分岐管部から逆流するという問題があった。
【０００９】
また、排水ヘッダーを構成している合流排水管継ぎ手の管状部の断面形状が円形状であるので、複数の排水横枝管から複数の分岐管部を通じて、同時に排水が排水ヘッダー内に流れ込んだ場合、排水ヘッダー内が満水状態となり、その結果、各排水横枝管内も満水状態となる。つまり、各排水横枝管内の上部に通気層が存在していないことになる。
このため、排水ヘッダー内の排水が下流側に流れ出ることによってサイフォン現象が生じて、各排水横枝管と連通されている各排水設備に設けられているトラップの封水が破られるという問題があった。
【００１０】
本発明の目的は、ヘッダー本体内に流れ込んだ排水が枝管接続部から逆流せず、排水枝管内の点検や清掃を容易に行え、床下での排水配管用の合流継手として良好な排水用ヘッダーを提供することである。
【００１１】
本発明の他の目的は、各枝管接続部からヘッダー本体内に排水が同時に流れ込んでも、ヘッダー本体内が満水状態とならず、つまり、各枝管接続部と接続されている各排水枝管内も満水状態とならず、その内部上方に通気層が存在しており、その結果、各枝管接続部と連通されている各排水設備に設けられているトラップの破水を防止することができる排水用ヘッダーを提供することである。
【００１２】
【課題を解決するための手段】
請求項１記載の本発明は、建物内の各排水設備と接続されている複数の排水枝管から流れ込む排水を合流させて、屋外に埋設されている排水管に排水させるための排水用ヘッダーであって、両端部に接続部を有する筒状のヘッダー本体と、このヘッダー本体の側壁から突設された複数の枝管接続部とからなり、前記ヘッダー本体が、一端部に流入側の受口部を有し、他端部に流出側の差口部を有する断面形状が卵形状とされた筒状の継手本体と、この継手本体の両側壁から両側方へ相対向して突設された２個の枝管接続部および上側壁から上方へ突設された１個の掃除口とを備えた管継手の複数個が各継手本体の中心軸方向に接続されてなるものであり、継手本体の流入側の受口部の下部に、継手本体の中心軸および継手本体の断面形状の長軸に直交するように、設置用の脚部が設けられ、かつ、ヘッダー本体の下部内面の曲率半径が上部内面の曲率半径よりも小さくされているものである。
【００１３】
請求項１記載の本発明の排水用ヘッダーによれば、両端部に接続部を有する筒状のヘッダー本体と、このヘッダー本体の側壁から突設された複数の枝管接続部とからなり、前記ヘッダー本体の断面形状が卵形状とされ、かつ、ヘッダー本体の下部内面の曲率半径が上部内面の曲率半径よりも小さくされているので、排水枝管を通じてヘッダー本体内に流れ込んでくる排水の水理特性が向上する。
【００１４】
また、ヘッダー本体の断面形状が卵形状とされていることで、各枝管接続部からヘッダー本体内に排水が同時に流れ込んでも、ヘッダー本体内が満水状態とならない。つまり、各枝管接続部と接続されている各排水枝管内も満水状態とならず、各枝管接続部と連通している各排水設備に設けられているトラップの破水を防止できる。
【００１５】
また、建物の床下に露出配管した設置状態において、上流側に位置しているヘッダー本体の一端部をたとえば蓋にて着脱自在に閉塞しておくことで、ヘッダー本体の上流側からヘッダー本体の他端部と接続されている排水主管内の点検や清掃を作業性よく行える。
【００１６】
さらに、一種類の管継手を複数個組み合わせることで、枝管接続部の口数の異なった各種タイプの排水用ヘッダーを形成することができる。このため、排水用ヘッダーを成型するための型費用が安価となる。また、たとえば建物の床下に露出配管した設置状態において、設置面に対して上向きに開口して存在している掃除口を点検口として利用することで、接続される排水枝管内の点検や清掃を作業性よく行える。
【００１７】
また、継手本体の流入側の受口部の下部に、継手本体の中心軸および継手本体の断面形状の長軸に直交するように、設置用の脚部が設けられているので、下げ振りや水準器などの芯出し治具を用いることなく、ヘッダー本体の下部に設けられた脚部を利用して排水用ヘッダーの芯出しを容易に行える。
【００１８】
請求項２記載の本発明は、請求項１記載の排水用ヘッダーにおいて、枝管接続部の断面形状が円形状とされ、その中心軸がヘッダー本体の上部内面の曲率半径の中心軸よりも上方に位置しているものである。
【００１９】
請求項２記載の本発明の排水用ヘッダーによれば、枝管接続部の断面形状が円形状とされ、その中心軸がヘッダー本体の上部内面の曲率半径の中心軸よりも上方に位置しているので、排水枝管を通じてヘッダー本体内に流れ込んでくる排水の他の枝管接続部側への逆流防止効果はより向上することになる。
【００２０】
請求項３記載の本発明は、請求項１または２に記載の排水用ヘッダーにおいて、ヘッダー本体の一端部に、一端部に断面形状が卵形状の接続部を有し、他端部に断面形状が円形状の接続部を有する管継手の卵形状の接続部が接続されているものである。
【００２１】
請求項３記載の本発明の排水用ヘッダーによれば、ヘッダー本体の一端部に接続されている管継手の円形状の接続部を利用して、従来の断面形状が円形状の排水管との接続を簡単に行える。
【００２２】
【発明の実施の形態】
以下、本発明の実施の形態を図面を参照して説明する。
【００２３】
図１は本発明の排水用ヘッダーの第１実施例を示す斜視図、図２は図１のＵ−Ｕ線での切断断面図、図３は図１対応の平面図である。
【００２４】
排水用ヘッダー１０は硬質塩化ビニル樹脂製の八方継手タイプのものであり、図１に示すように、断面形状が卵形状の筒状のヘッダー本体１１と、このヘッダー本体１１の側壁の４箇所から両側に相対向して一体に突設された４個の円筒状の枝管接続部１２と、上側壁の２箇所から上方に一体に突設された２個の円筒状の掃除口１３とから構成されている。
【００２５】
ここで、筒状のヘッダー本体１１とは、断面形状が卵形状を有するものであって、その形状の代表的なものは図４に示すように、半径Ｒ１の軌道に沿う大径部１１Ｈ、半径Ｒ２の軌道に沿う小径部１１Ｌ、半径Ｒ３，Ｒ４に沿う移行部１１Ｍ，１１Ｍとから構成されている。ここに、Ｒ１，Ｒ２，Ｒ３，Ｒ４はＲ２＜Ｒ１＜Ｒ３＝Ｒ４の関係にあり、半径Ｒ１，Ｒ２の中心はともに長軸Ｇ上に位置している。つまり、ヘッダー本体１１の小径部１１Ｌ内面の曲率半径Ｒ２が大径部１１Ｈ内面の曲率半径Ｒ１よりも小さくなっている。
【００２６】
そして、一方の枝管接続部１２と他方の枝管接続部１２は、ヘッダー本体１１の長軸Ｇを含む仮想平面に対して、左右対称に設けられている。この場合、各枝管接続部１２の中心軸はヘッダー本体１１の上部内面の曲率半径Ｒ１の中心軸よりも約３０ｍｍ上方に位置している。この結果、各枝管接続部１２の管底の高さ位置はヘッダー本体１１の管底よりも約７０ｍｍ上方に位置している。
【００２７】
ヘッダー本体１１の一端部は受口１１１とされ、他端部は差口１１２とされている。各枝管接続部１２はすべて接着接続タイプの受口とされている。掃除口１３の開口端は受口とされ、後述のネジ式タイプの蓋が着脱可能に装着されるようになっている。この場合、各枝管接続部１２の受口の口径は約７５ｍｍである。ヘッダー本体１１の受口１１１の口径（長軸Ｇ方向）は約１３０ｍｍである。
【００２８】
ヘッダー本体１１の下部には２個の板状の脚部１４が一体に設けられている。この脚部１４はヘッダー本体１１の中心軸およびヘッダー本体１１の長軸Ｇに直交するように設けられている。脚部１４の両端には切欠部１４１が設けられ、たとえば配管固定具を用いて床下面に設置固定する際に、配管固定具のボルトに装着されるようになっている。
【００２９】
上記図１の排水用ヘッダー１０は、図５〜図８にて示す五方継手タイプの管継手１０Ａの２個が接着接続されたものであり、枝管接続部１２の数の調整が自在となる。
【００３０】
図５は管継手１０Ａを示す斜視図、図６は図５のＶ−Ｖ線での切断断面図、図７は図５のＷ−Ｗ線での切断断面図、図８は図５対応の平面図である。
【００３１】
図５に示すように、管継手１０Ａは五方継手タイプのものであり、断面形状が卵形状の筒状の継手本体１１Ａと、この継手本体１１Ａの両側壁から両側に相対向して一体に突設された２個の円筒状の枝管接続部１２と、上側壁から上方に一体に突設された１個の円筒状の掃除口１３とから構成されている。
【００３２】
上述のとおり、筒状の継手本体１１Ａは、断面形状が卵形状を有するものであって、上記図４に示したように、半径Ｒ１の軌道に沿う大径部、半径Ｒ２の軌道に沿う小径部、半径Ｒ３，Ｒ４に沿う移行部とから構成されている。そして、Ｒ１，Ｒ２，Ｒ３，Ｒ４はＲ２＜Ｒ１＜Ｒ３＝Ｒ４の関係にあり、半径Ｒ１，Ｒ２の中心は長軸Ｇ上に位置している。つまり、継手本体１１Ａの小径部の曲率半径が大径部の曲率半径よりも小さくなっている。
【００３３】
そして、一方の枝管接続部１２と他方の枝管接続部１２は、継手本体１１Ａの長軸Ｇを含む仮想平面に対して、左右対称に設けられている。枝管接続部１２の中心軸は継手本体１１Ａの上部内面の曲率半径Ｒ１の中心軸よりも約３０ｍｍ上方に位置している。この結果、図７に示すように、枝管接続部１２の管底の高さ位置は継手本体１１Ａの管底よりも約７０ｍｍ上方に位置している。
【００３４】
継手本体１１Ａの一端部は受口１１１とされ、他端部は差口１１２とされている。各枝管接続部１２はすべて接着接続タイプの受口とされている。掃除口１３の開口端は受口とされ、後述のネジ式タイプの蓋やキャップが着脱可能に装着されるようになっている。この場合、各枝管接続部１２の受口の口径は約７５ｍｍである。継手本体１１Ａの受口１１１の口径（長軸Ｇ方向）は約１３０ｍｍである。受口１１１および枝管接続部１２のそれぞれの開口端の両側部外面には係止部１１３，１２１が一体に設けられている。
【００３５】
継手本体１１Ａの受口１１１側の下部には１個の板状の脚部１４が設けられている。この脚部１４は継手本体１１Ａの中心軸および長軸Ｇに直交するように設けられている。脚部１４の両端には切欠部１４１が設けられ、たとえば配管固定具を用いて床下面に設置固定する際に、配管固定具のボルトに装着されるようになっている。
【００３６】
そして、一方の管継手１０Ａの差口１１２が他方の管継手１０Ａの受口１１１に挿入されて接着接続されることで、図１〜図３にて示す排水用ヘッダー１０が構成されている。
【００３７】
この場合、継手本体１１Ａの断面形状が卵形状であり、しかも、継手本体１１Ａの下部に存在している板状の脚部１４が継手本体１１Ａの中心軸および長軸Ｇに直交するように設けられているので、両管継手１０Ａ，１０Ａの位置合わせなどをすることなく、単に２個の管継手１０Ａ，１０Ａ同士を接着接続するだけで排水用ヘッダー１０の組立てを行える。
【００３８】
なお、継手本体１１Ａの受口１１１をゴム輪タイプの受口としてもよい。また、枝管接続部１２は接着タイプの受口に限らず、環状のパッキングを受口内周に備えた枝管を差し込むだけで水密接続可能なゴム輪タイプの受口とすると、伸縮可能な接続部とできる。また、差し口タイプの接続部となされ、枝管と合成樹脂製ソケットで接着接続されたり、ゴム製のソケットを使用してソケット外周を締付けて水密で、かつ接合部での屈曲調整可能に接続してもよい。
また、一対の枝管接続部１２，１２の突出方向は、継手本体１１Ａに水平で斜め方向に突設されるか、継手本体１１Ａの斜め上方に向くように突設されていて、継手本体１１Ａの長軸Ｇを含む仮想平面に対して左右対称に設けられていてもよい。
【００３９】
そして、枝管接続部１２を多めに設けておき、その一部を掃除口として用いるようにしてもよい。そして、掃除口には着脱可能にキャップや蓋を装着しておけばよい。また、その時点では使用しない枝管接続部１２はキャップや蓋にて着脱可能に閉塞しておけばよい。排水用ヘッダー１０の材質は、硬質塩化ビニル樹脂やポリエチレン樹脂などの合成樹脂の他、ＦＲＰ、ステンレスや鋳物などの金属製であってもよい。
【００４０】
図９は本発明の排水用ヘッダーの第２実施例を示す斜視図、図１０は図９対応の平面図、図１１は図９のＸ−Ｘ線での切断断面図である。
【００４１】
この第２実施例の排水用ヘッダー１０は、上記図５〜図８にて示した管継手１０Ａの３個が接着接続されたものである。排水用ヘッダー１０は、図９に示すように、断面形状が卵形状の筒状のヘッダー本体１１と、このヘッダー本体１１の側壁の６箇所から両側に一体に突設された６個の円筒状の枝管接続部１２と、側壁の３箇所から上方に一体に突設された２個の円筒状の掃除口１３とから構成されている。
【００４２】
この場合、排水用ヘッダー１０は６個の枝管接続部１２を備えているので、たとえば建物の増改築を行って、建物内の排水設備が増設された際に、余っている枝管接続部１２を利用して、増設された新規排水設備と排水用ヘッダー１０との間を排水枝管にて配管することができる。
また、排水用ヘッダー１０の流入側の受口１１１に、管頂を一致させた枝管接続部１２を備えた円形管と卵形管との変換継手を取付けて、流入側に枝管接続部１２を設けてもよい。
【００４３】
つぎに、図１の本発明の排水用ヘッダー１０を使用した排水システムについて説明する。
図１２は図１の排水用ヘッダー１０を使用した排水システムを模式的に示す説明図、図１３は図１２の部分平面図、図１４は図１３のＹ−Ｙ線での切断断面図、図１５は図１３のＺ−Ｚ線での切断断面図、図１６は図１２の要部の一部を断面で示す平面図、図１７は図１２の他の要部の一部を断面で示す拡大側面図である。
【００４４】
住宅排水システムは、図１２および図１７に示すように、建物２内に設置された各排水設備２１〜２５にそれぞれ上流側の一端部が接続された排水枝管５，５Ａと、排水枝管５と３本の排水枝管５Ａとを接続している排水用ヘッダー１０と、建物２の外周基礎４に形成されたボイド孔４ａの外面側に一端部が開口されるとともに、他端部が建物２の外周基礎４の内側の床下の上面に開口された状態で防湿コンクリート４１に埋設されたさや管８と、このさや管８内に挿通された排水枝管５の他端部が接続され、建物２の外周基礎４の外側地中に埋設された４個の排水桝６と、これらの排水桝６と排水主管３を介して接続された公共桝７とから構成されている。そして、さや管８の上端開口から建物２の床下空間に立ち上がり、各排水設備２１〜２５の流出側接続部に至るまでの排水枝管５，５Ａは床下空間Ｓに露出配管されている。
【００４５】
この場合、排水設備２１はトイレ、排水設備２２は洗面所、排水設備２３は洗濯機、排水設備２４は浴室、排水設備２５は台所である。このうち、三箇所の排水設備２２，２３，２４は、図１２に示すように、中基礎４２で区切られた同一区分に設置されており、排水設備２２，２３，２４に接続されている３本の排水枝管５Ａのそれぞれの流出側端部は、図１３に示すように、排水用ヘッダー１０の３個の各枝管接続部１２と接続されている。
尚、３本の排水枝管５Ａの中には、排水設備からの排水量が少なく、枝管接続部１２の口径より小口径の排水枝管５Ａが使用される場合がある。この場合には、枝管接続部１２に小口径管接続用の受口を有する同芯または偏芯のブッシュを使用して接続すればよい。
【００４６】
排水枝管５Ａが接続されない１個の枝管接続部１２は、図１５に示すように、キャップ１２ａが水密状に装着されて閉塞されている。その際、キャップ１２ａの鍔部に設けられている２個の係止爪（図示せず）が、枝管接続部１２の両側部外面に設けられている係止部１２１と重ね合わされ、両者に設けられている係止孔にボルトを挿通してナットを締めつけて係止されている。同様に、排水用ヘッダー１０の受口１１１は、キャップ１１ａが水密状に装着されて閉塞されている。その際、キャップ１１ａの鍔部に設けられている２個の係止爪（図示せず）が受口１１１の両側部外面に設けられている係止部１１３と重ね合わされ、両者に設けられている係止孔にボルトを挿通してナットを締めつけて係止されている。この事により、ヘッダー本体内に内圧がかかっても止水性を確保できると共に、脱着の繰り返しが容易となる。
また、キャップ１２ａには、枝管接続部１２と接合する部分に回り止め用の突起が設けられ、枝管接続部１２にキャップ１２ａの回り止め用突起と嵌まり合う接合部が設けられていて、キャップ１２ａの装着される方向が規制されるようになっていると、断面円形のキャップ１２ａの枝管接続部１２への装着の向きをヘッダー本体１１の内面形状に合うように決めることができ、排水管路の内面を円滑な面として、汚水の流れを滞留を防止できる。
また、２個の掃除口１３は、図１４に示すように、ネジ式タイプの蓋１３ａが着脱可能に装着されて閉塞されている。
【００４７】
また、排水用ヘッダー１０と排水枝管５は変換継手Ｆを介して接続されている。この変換継手Ｆは、図１３および図１４に示すように、一端部に断面形状が卵形状の受口Ｆ１を有し、他端部に断面形状が円形状の差口Ｆ２を有し、受口Ｆ１と差口Ｆ２とは管底を一致するようにして、その間を連結する傾斜移行部Ｆ３となされている。そして、変換継手Ｆの受口Ｆ１が排水用ヘッダー１０の差口１１２と接着接続され、一方、変換継手Ｆの差口Ｆ２が排水枝管５の受口と接着接続されている。
【００４８】
そして、排水用ヘッダー１０は建物の床下に、ヘッダー本体１１の下部に存在している２個の脚部１４の切欠部１４１を利用して配管固定具のボルトに固定されている。配管固定具は、板状の支持金具に２本の固定ボルトが立設されたものを使用するのがよい。支持金具を床コンクリートにボルト止めし、固定ボルトに装着した２個のナット間に脚部１４を挟持して、高さや勾配を調整して固定できる。
【００４９】
上記実施例の場合、排水桝６、排水主管３およびさや管８は硬質塩化ビニル樹脂製のものである。また、排水枝管５は、図１６に示すように、内周面が平滑で、外周面に山部５１と谷部５２が交互に軸心方向に沿って平行に連続して形成されたポリエチレン樹脂製の波付管である。この場合、山部５１が高密度ポリエチレン樹脂からなり、谷部５２が低密度ポリエチレン樹脂からなっている。排水枝管５Ａは従来の硬質塩化ビニル樹脂製のものである。
【００５０】
３本の排水枝管５の流出側の端部内周には、図１６に示すように、接続用ソケット５ａの差口５１ａが嵌合され、接続用ソケット５ａの受口５２ａ外周と、排水枝管５の端部外周との間に跨がって、固定リング５ｂがたとえば射出成形されて抜け止め状態で嵌合固着されている。この場合、接続用ソケット５ａは硬質塩化ビニル樹脂製のものであり、固定リング５ｂはポリエチレン樹脂製のものである。３本の排水枝管５の流入側の端部内周にも上記と同様にして接続用ソケット５ａが嵌合固着され、この接続用ソケット５ａが変換継手Ｆの差口Ｆ２と接着接続されている（図１３および１４を参照）。
【００５１】
そして、図１７に示すように、さや管８を通して屋外に延設された３本の排水枝管５の各流出側端部の受口５２ａはそれぞれ短管３２、９０度エルボ継手３１、短管３２および９０度エルボ継手３１を介して各排水桝６の流入側受け口６１に接続されている。そして、排水桝６の流出側受け口６２に排水主管３の一端部が接続され、この排水主管３の他端部が排水桝６あるいは公共桝７の流入側接続部と接続されている。さらに、排水桝６の上端受口６３には短管６４の下端部が接続され、この短管６４の上端開口に掃除口用の蓋体６５が着脱自在に装着されている。なお、短管３２、９０度エルボ継手３１、短管６４は硬質塩化ビニル樹脂製のものである。
【００５２】
したがって、排水設備２１，２５からの排水は、排水枝管５、９０度エルボ継手３１、短管３２および９０度エルボ継手３１を経て各排水桝６に流れ込み、この各排水桝６に流れ込んだ排水は、排水桝６，６間を接続している宅地１内の排水主管３を通じて公共桝７に流れ込み、この公共桝７を経て公道下に埋設された下水本管へ排水される。
【００５３】
また、排水設備２２，２３および２４からの排水は各排水枝管５Ａを経て排水用ヘッダー１０に流れ込み、この排水用ヘッダー１０に流れ込んで合流した排水は、排水用ヘッダー１０の流出側差口１１２と排水桝６の流入側受口６１との間を接続している排水枝管５を通じて排水桝６に流れ込む。そして、この排水桝６に流れ込んだ排水は、排水桝６，６間を接続している宅地１内の排水主管３を通じて公共桝７に流れ込み、この公共桝７を経て公道下に埋設された下水本管へ排水される。
【００５４】
この場合、排水用ヘッダー１０を構成しているヘッダー本体１１は、図４に示したように、断面形状が卵形状を有するものであり、しかも、枝管接続部１２の管底の高さ位置がヘッダー本体１１の管底よりも約７０ｍｍ上方に位置しているので、たとえば排水設備２２，２３および２４からの排水が各排水枝管５Ａを経て同時に排水用ヘッダー１０に流れ込んでも、排水用ヘッダー１０内が満水状態となる可能性は全くない。このため、各排水設備２２，２３，２４に設けられているトラップの破水は生じない。また、各排水枝管５Ａより流れ込んだ排水が他の排水枝管５Ａに逆流することもない。
【００５５】
また、３本の排水枝管５の流出側端部がさや管８内を挿通して排水桝６に接続されており、しかも、さや管８の上端開口から建物２の床下空間に立ち上がり、各排水設備２１〜２５の流出側接続部に至るまでの排水枝管５は床下空間Ｓに露出配管されているので、排水枝管５内の点検や清掃、あるいは排水枝管５の補修や取り替えを容易に行うことができる。
【００５６】
そして、さや管９は、３本の各排水枝管５をその内部に円滑に延設することができるように、外周基礎４のボイド孔４ａに予め設定された姿勢で固定されて防湿コンクリート４１に埋設されている。具体的には、図１７に示すように、外周基礎４のボイド孔４ａは、さや管８の外径よりも大きく、さや管８をボイド孔４ａに差し込むだけでは、さや管８は回転して一定の姿勢に保つことが困難である。このため、防湿コンクリート４１の打設に先立って、外周基礎４のボイド孔４ａに、たとえば水膨張ゴムなどの支持材９を介して、さや管の一端部を設定された姿勢に固定しておくのがよい。
【００５７】
また、排水枝管５を円形状のものに代えて卵形状のものとしてもよい。このようにすることで、変換継手Ｆを用いずに、排水用ヘッダー１０と排水枝管５の接続を行える。
【００５８】
【発明の効果】
請求項１記載の本発明においては、両端部に接続部を有する筒状のヘッダー本体と、このヘッダー本体の側壁から突設された複数の枝管接続部とからなり、前記ヘッダー本体の断面形状が卵形状とされ、かつ、ヘッダー本体の下部内面の曲率半径が上部内面の曲率半径よりも小さくされているので、排水枝管を通じてヘッダー本体内に流れ込んでくる排水の水理特性が向上する。
【００５９】
また、ヘッダー本体の断面形状が卵形状とされていることで、各枝管接続部からヘッダー本体内に排水が同時に流れ込んでも、ヘッダー本体内が満水状態とならない。つまり、各枝管接続部と接続されている各排水枝管内も満水状態とならず、各枝管接続部と連通している各排水設備に設けられているトラップの破水を防止できる。
【００６０】
さらに、たとえば建物の床下に露出配管した設置状態において、設置面に対して上向きに開口して存在している掃除口を点検口として利用することで、接続される排水枝管内の点検や清掃を作業性よく行える。
【００６１】
また、建物の床下に露出配管した設置状態において、上流側に位置しているヘッダー本体の一端部をたとえば蓋にて着脱自在に閉塞しておくことで、ヘッダー本体の上流側からヘッダー本体の他端部と接続されている排水主管内の点検や清掃を作業性よく行える。
【００６２】
さらに、一種類の管継手を複数個組み合わせることで、枝管接続部の口数の異なった各種タイプの排水用ヘッダーを形成することができる。このため、排水用ヘッダーを成型するための型費用が安価となる。また、たとえば建物の床下に露出配管した設置状態において、設置面に対して上向きに開口して存在している掃除口を点検口として利用することで、接続される排水枝管内の点検や清掃を作業性よく行える。
【００６３】
また、継手本体の流入側の受口部の下部に、継手本体の中心軸および継手本体の断面形状の長軸に直交するように、設置用の脚部が設けられているので、下げ振りや水準器などの芯出し治具を用いることなく、ヘッダー本体の下部に設けられた脚部を利用して排水用ヘッダーの芯出しを容易に行える。
【００６４】
請求項２記載の本発明においては、枝管接続部の断面形状が円形状とされ、その中心軸がヘッダー本体の上部内面の曲率半径の中心軸よりも上方に位置しているので、排水枝管を通じてヘッダー本体内に流れ込んでくる排水の他の枝管接続部側への逆流防止効果はより向上することになる。
【００６５】
請求項３記載の本発明においては、ヘッダー本体の一端部に接続されている管継手の円形状の接続部を利用して、従来の断面形状が円形状の排水管との接続を簡単に行える。
【図面の簡単な説明】
【図１】 本発明の排水用ヘッダーの第１実施例を示す斜視図である。
【図２】 図１のＵ−Ｕ線での切断断面図である。
【図３】 図１対応の平面図である。
【図４】 ヘッダー本体の断面形状を説明する断面図である。
【図５】 図１の排水用ヘッダーを構成して管継手を示す斜視図である。
【図６】 図５のＶ−Ｖ線での切断断面図である。
【図７】 図５のＷ−Ｗ線での切断断面図である。
【図８】 図５対応の平面図である。
【図９】 本発明の排水用ヘッダーの第２実施例を示す斜視図である。
【図１０】 図９対応の平面図である。
【図１１】 図９のＸ−Ｘ線での切断断面図である。
【図１２】 図１の排水用ヘッダー１０を使用した排水システムを模式的に示す説明図である。
【図１３】 図１２の部分平面図である。
【図１４】 図１３のＹ−Ｙ線での切断断面図である。
【図１５】 図１３のＺ−Ｚ線での切断断面図である。
【図１６】 図１２の要部の一部を断面で示す平面図である。
【図１７】 図１２の他の要部の一部を断面で示す拡大側面図である。
【図１８】 従来の住宅排水システムを模式的に示す説明図である。
【符号の説明】
２  建物
２１，２２，２３，２４，２５  排水設備
３  排水主管
４  外周基礎
５，５Ａ  排水枝管
６  排水桝
６１  流入側接続部
７  公共桝
１０  排水用ヘッダー
１０Ａ  管継手
１１  ヘッダー本体
１１Ａ  継手本体
１１１  受口
１１２  差口
１２  枝管接続部
１１ａ，１２ａ  キャップ
１３  掃除口
１３ａ  蓋
１４  脚部
Ｇ  長軸
Ｒ１，Ｒ２，Ｒ３，Ｒ４  曲率半径
Ｆ  変換継手
Ｆ１  受口
Ｆ２  差口
【図１】
0004171272.tif 000002
【図２】
0004171272.tif 000003
【図３】
0004171272.tif 000004
【図４】
0004171272.tif 000005
【図５】
0004171272.tif 000006
【図６】
0004171272.tif 000007
【図７】
0004171272.tif 000008
【図８】
0004171272.tif 000009
【図９】
0004171272.tif 000010
【図１０】
0004171272.tif 000011
【図１１】
0004171272.tif 000012
【図１２】
0004171272.tif 000013
【図１３】
0004171272.tif 000014
【図１４】
0004171272.tif 000015
【図１５】
0004171272.tif 000016
【図１６】
0004171272.tif 000017
【図１７】
0004171272.tif 000018
【図１８】
0004171272.tif 000019